(57)【要約】【課題】撮影装置と外部装置との間で無線接続による通信を実行する際に常に安定した無線接続状態を確保すると共に省電力化に寄与し得る撮影装置を提供する。【解決手段】被写体を撮影して画像信号を生成する撮影手段と、無線接続により外部装置との間で情報を送受信する通信手段と、撮影装置の揺動を検出する揺動検出手段と、揺動検出手段で検出された揺動の大きさに応じて通信手段の送信出力を制御する送信出力制御手段とを具備して構成する。【選択図】図１
2009005093.tif 000002
【特許請求の範囲】
【請求項１】
被写体を撮影して画像信号を生成する撮影手段と、
無線接続により外部装置との間で情報を送受信する通信手段と、
当該撮影装置の揺動を検出する揺動検出手段と、
上記揺動検出手段で検出された揺動の大きさに応じて上記通信手段の送信出力を制御する送信出力制御手段と、
を具備することを特徴とする撮影装置。
【請求項２】
上記揺動検出手段が検出した揺動の大きさが所定値以下の場合、上記送信出力制御手段は、上記揺動の大きさが上記所定値より大きい場合よりも上記通信手段の送信出力が小さくなるように制御することを特徴とする請求項１に記載の撮影装置。
【請求項３】
通信エラー情報を取得する通信エラー情報取得手段を、さらに具備し、
上記揺動検出手段が検出した揺動の大きさが所定値以下の場合、上記送信出力制御手段は、上記通信手段の送信出力を上記通信エラー情報取得手段が取得する通信エラーが所定の割合以下になる最小の出力に設定することを特徴とする請求項２に記載の撮影装置。
【請求項４】
上記通信手段を介して外部装置を特定する情報を取得する外部装置情報取得手段を、さらに具備し、
上記送信出力制御手段は、上記外部装置情報取得手段により取得された外部装置を特定情報により通信相手の外部装置が携帯用機器ではないと特定された場合は、携帯用機器と特定された場合よりも上記通信手段の送信出力を小さくするように制御することを特徴とする請求項１〜３のうちのいずれか一つに記載の撮影装置。
【請求項５】
上記外部装置が携帯用機器ではないと特定された場合、上記送信出力制御手段は、上記通信手段の送信出力を上記通信エラー情報取得手段が取得した通信エラーが所定の割合以下になる最小の出力に設定することを特徴とする請求項４に記載の撮影装置。
【請求項６】
上記揺動検出手段は、撮影時に発生する手振れを検出するために具備される手振れ検出用センサーであることを特徴とする請求項１〜５のうちのいずれか一つに記載の撮影装置。
【請求項７】
上記手振れ検出用センサーは、回転検出センサー又は加速度センサーであることを特徴とする請求項６に記載の撮影装置。
【発明の詳細な説明】
【技術分野】
【０００１】
この発明は、撮影装置、詳しくは無線接続により外部装置との間で情報を送受信する通信手段を有する撮影装置における無線通信の制御に関するものである。
【背景技術】
【０００２】
従来、撮影光学系により結像される光学像を撮像素子等の光電変換素子により光電変換処理することで、所望の被写体の光学像を電気的な画像信号として取得した後、この画像信号をデジタルデータ化した形態の画像データと当該画像信号に関連する各種の情報データとを含めて形成したデジタル画像データファイル（以下、画像ファイルという）として記憶媒体に記憶し得るように構成したいわゆるデジタルカメラ等の撮影装置（以下、単にデジタルカメラ等という）が広く一般に普及している。
【０００３】
このような従来のデジタルカメラ等には、記憶媒体に記憶された画像ファイルを、例えば小型コンピュータ等の画像再生装置又は画像処理装置や、プリンター等の画像印刷装置等の外部装置や、他のデジタルカメラ等との間で送受信する通信手段を有しているものがある。
【０００４】
従来のデジタルカメラ等に具備される通信手段としては、デジタルカメラ等と外部装置との間を接続ケーブル等の伝送路にて接続し、これを用いて画像ファイル等の送受信を行う有線接続インターフェース（以下、有線接続ＩＦと略記する）であって、具体的にはＵＳＢ（Ｕniversal Ｓerial Ｂus）規格に準拠した有線通信を行うＵＳＢ接続手段や、有線ＬＡＮ（Ｌoacal Ａrea Ｎetwork）接続手段等がある。
【０００５】
また、この有線接続ＩＦに代わる通信手段としては、デジタルタルカメラと外部装置との間の伝送路として電線を使用せずに電磁波や赤外線等を用いて画像ファイル等の送受信を行う無線接続インターフェース（以下、無線接続ＩＦと略記する）であって、具体的にはワイヤレスＵＳＢ（Ｗireless Ｕniversal Ｓerial Ｂus；ＷＵＳＢ）規格に準拠した無線接続を行うＷＵＳＢ接続手段，超広帯域（ＵＷＢ；Ｕltra Ｗide Ｂand) 無線接続手段，無線ＬＡＮ接続手段や、ＩｒＤＡ（アイアールディーエイ；Infrared Data Association）規格に準拠した赤外線通信を行う光無線接続手段等がある。
【０００６】
このような無線通信手段を具備するデジタルカメラ等において、無線通信による画像ファイルの送受信を行う際には、通常の撮影動作時に比べてより大きな消費電力が必要となる。
【０００７】
さらに、データ通信を行うためには、一定時間（データを送信している間）、通信状態を維持し続ける必要がある。
【０００８】
そこで、無線通信手段を具備したデジタルカメラ等において通信動作を実行し、その無線接続状態を確保し続けるためには、途中で無線接続が切断されないように、例えば常に最大の出力強度で無線信号の送出を継続実行するような制御が考えられる。
【０００９】
しかしながら、従来のデジタルカメラ等においては、電力容量に制限のある小型電池等を電源として適用されているのが普通である。したがって、限られた電力容量で、できるだけ長い動作時間を確保しつつ、各種の機能を実行し得るようにするためには、消費電力の消耗を極力抑止したいという要望がある。
【００１０】
そこで、デジタルカメラにおける無線通信動作の実行中の消費電力を抑えるための提案として、例えば特開２００６−２７０５３７号公報等によって種々の開示がなされている。
【００１１】
上記特開２００６−２７０５３７号公報等によって開示されているデジタルカメラは、通信相手となる外部装置からの信号を受信して、その電界強度を検出する受信強度検出手段を備え、この受信強度検出手段の検出結果に応じて送信出力を設定し、動作モードを切り換えるようにしている。
【００１２】
これによれば、通信相手先からの信号の電界強度に応じた送信出力が設定されるので、適切な送信出力による無線通信を行なうことができ、省電力化に寄与し得るというものである。
【特許文献１】特開２００６−２７０５３７号公報
【発明の開示】
【発明が解決しようとする課題】
【００１３】
一方、上述したように、従来のデジタルカメラ等においては、小型電池等を電源として用いることで、使用者は、そのデジタルカメラ等を場所を選ばず気軽に携帯し所望の時に使用することができるという利便性を得ている。
【００１４】
したがって、携帯可能で移動自在なデジタルカメラ等を用いて外部装置との無線接続による通信を行う場合、通信動作の実行中であっても、当該デジタルカメラ等が移動される可能性がある。この場合、通信相手となる外部装置に対する相対的な距離に変化が生じたり、当該デジタルカメラ等に内蔵される送受信アンテナの向きが変化する等、通信相手との相対的な位置的条件が変化して、通信動作中の無線信号の送受信状態が変化するのに伴って、無線接続状態が切断されてしまうような場合もあり得る。
【００１５】
ところが、上記特開２００６−２７０５３７号公報によって開示されているデジタルカメラにおいては、通信動作を実行する際のカメラ側（送信側）の状態を考慮していないので、電界強度の検出時の状態によっては、適切な送信出力の設定がなされなかったり、適切な動作モードで動作させることができない場合も考えられる。
【００１６】
本発明は、上述した点に鑑みてなされたものであって、その目的とするところは、無線通信手段を備えた可搬型の撮影装置と外部装置との間で無線接続による通信を実行する際に撮影装置の状態を確認し、その状態に応じて送信出力の強度を最適化する制御を行うことで、常に安定した無線接続状態を確保することができると共に、省電力化に寄与することのできる撮影装置を提供することである。
【課題を解決するための手段】
【００１７】
上記目的を達成するために、本発明による撮影装置は、被写体を撮影して画像信号を生成する撮影手段と、無線接続により外部装置との間で情報を送受信する通信手段と、当該撮影装置の揺動を検出する揺動検出手段と、上記揺動検出手段で検出された揺動の大きさに応じて上記通信手段の送信出力を制御する送信出力制御手段と、を具備することを特徴とする。
【発明の効果】
【００１８】
本発明によれば、無線通信手段を備えた可搬型の撮影装置と外部装置との間で無線接続による通信を実行する際に撮影装置の状態を確認し、その状態に応じて送信出力の強度を最適化する制御を行うことで、常に安定した無線接続状態を確保することができると共に、省電力化に寄与することのできる撮影装置を提供することができる。
【発明を実施するための最良の形態】
【００１９】
以下、図示の実施の形態によって本発明を説明する。
【００２０】
図１は、本発明の第１の実施形態の撮影装置の内部構成の概略を示すブロック構成図である。図２は、本実施形態の撮影装置における無線接続によるデータ送信処理のフローチャートである。
【００２１】
本実施形態の撮影装置は、例えば光学レンズ等からなる撮影光学系によって結像される被写体の光学像を撮像素子等の光電変換素子等により受光して、これを光電変換処理することで電気的な画像信号を取得し、この画像信号をデジタルデータ化した形態の画像データ及び同画像信号に関連する各種の情報データ等（以下、関連情報という）からなるデジタル画像データファイル（以下、単に画像ファイルという）を生成する撮影手段と、この撮影手段によって生成された画像ファイルに基づく画像を表示する表示手段と、同画像ファイルを記憶媒体等に記憶する画像情報記憶手段と、本撮影装置と外部装置との間でデータ通信を行って画像ファイルを送受信する有線通信機能及び無線通信機能を具備する通信手段等を含んで構成されるいわゆるデジタルカメラ等が該当する。
【００２２】
なお、上記通信手段（有線又は無線）を用いて本撮影装置との間で画像ファイル等のデータ通信を行う外部装置としては、具体的には、例えば小型コンピュータ等の画像再生装置又は画像処理装置や外部ストレージ装置や他のデジタルカメラ等の撮影装置等に加え、プリンター等の画像印刷装置等がある。
【００２３】
具体的には、本実施形態の撮影装置１００は、図１に示すようにレンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記憶バッファ１４と、記憶媒体インターフェース（以下、記憶媒体Ｉ／Ｆという）１５と、記憶媒体１６と、レンズ用アクチュエータ１７と、レンズ用アクチュエータ駆動回路１８と、外部有線データインターフェース（以下、外部有線データＩ／Ｆという）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ（ＦｌａｓｈＲＯＭ）１９と、外部無線データインターフェース（以下、外部無線データＩ／Ｆという）２０と、無線アンテナ２１と、撮像素子用アクチュエータ３３と、撮像素子用アクチュエータ駆動回路３４と、揺動検出機能部３５等によって主に構成されている。
【００２４】
レンズ１は、光学的な被写体像を形成し、これを撮像素子２の受光面上に結像させるために設けられるものである。
【００２５】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００２６】
撮像回路３は、撮像素子２からの出力信号を受けて、その画像信号に対して各種のアナログ信号処理を行う電子回路である。
【００２７】
Ａ／Ｄ変換器４は、撮像回路３から出力されるアナログ形式の画像信号を受けて、デジタル形式の画像信号に変換するための回路である。
【００２８】
信号処理回路５は、Ａ／Ｄ変換器４から出力されたデジタル形式の画像信号を受けて、各種のデジタル的な信号処理を行う回路である。
【００２９】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００３０】
なお、本撮影装置１００においては、上述のレンズ１，撮像素子２，撮像回路３，Ａ／Ｄ変換器４，信号処理回路５，フレームメモリ６等によって、被写体を撮影して画像信号を取得し画像ファイルを生成する撮影手段の主要部が構成される。
【００３１】
ＦＩＦＯメモリ７は、画像信号を各種の表示装置へ向けて出力する際に、当該画像信号の一時的な記憶を行うために設けられるメモリである。
【００３２】
ＴＦＴ液晶駆動回路９は、ＦＩＦＯメモリ７から出力される画像信号を受けてＴＦＴパネル１０を制御する回路である。
【００３３】
ＴＦＴパネル１０は、ＴＦＴ液晶駆動回路９の制御によって画像信号に基づく画像や当該撮影装置１００における各種の情報等を表示するための表示部であり、カラー表示可能なものが用いられる。
【００３４】
バックライトユニット１１は、ＴＦＴパネル１０の背面側に設けられ、当該ＴＦＴパネル１０を背面側から照明するためのものである。
【００３５】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００３６】
ビデオ出力端子１３は、本撮影装置１００と外部表示装置等との間を電気的に接続するビデオケーブル等の信号線を接続するための接続端子である。
【００３７】
なお、本撮影装置１００においては、上述のＦＩＦＯメモリ７，ＴＦＴ液晶駆動回路９，ＴＦＴパネル１０，バックライトユニット１１等によって、上記撮影手段により生成された画像ファイルに基づく画像を表示する表示手段の主要部が構成される。
【００３８】
記憶バッファ１４は、フレームメモリ６に一時的に記憶されている画像信号等を記憶媒体１６に画像データとして記憶するとき、若しくは記憶媒体１６から画像データを読み出してフレームメモリ６に一時的に記憶するとき等に用いられるバッファ（一時保存領域）である。
【００３９】
記憶媒体Ｉ／Ｆ１５は、記憶媒体１６への画像データ等の記憶処理や、記憶媒体１６からの画像データ等の読み出し処理等を制御するための回路である。
【００４０】
記憶媒体１６は、画像データやその他の各種データを記憶するための不揮発性の記憶媒体、例えば薄板形状，カード形状からなるメモリカード等である。この記憶媒体１６としては、撮影装置１００等の機器に対して着脱自在とする形態のものや、撮影装置１００等の機器内部の電気回路に固設されている形態のもの等、様々な形態のものがあり、いずれの形態のものでも本撮影装置１００に適用し得る。
【００４１】
なお、上述の記憶バッファ１４，記憶媒体Ｉ／Ｆ１５，記憶媒体１６等によって、上記撮影手段により生成された画像ファイル（画像データ及びその関連情報のデータ）等を所定の形態のデータとして記憶媒体１６に記憶する画像情報記憶手段の主要部が構成される。
【００４２】
レンズ用アクチュエータ１７は、レンズ１を駆動して、オートフォーカス動作を行ったりあるいはズーミング動作を行ったりするための駆動源である。
【００４３】
レンズ用アクチュエータ駆動回路１８は、第１ＣＰＵ３１の制御に基づいてレンズ用アクチュエータ１７を制御し駆動する回路である。
【００４４】
レンズ用アクチュエータ１７及びレンズ用アクチュエータ駆動回路１８によって、レンズ１を、その光軸方向に移動させることで被写体像の自動焦点調節（オートフォーカス（ＡＦ））動作や変倍動作を行うレンズ駆動手段の主要部を構成している。
【００４５】
外部有線データＩ／Ｆ２２は、本撮影装置１００と外部装置（図示せず）との間において画像データ等の伝送（送受信）を接続ケーブル等を介して行うための接続部分（インターフェース）であって、例えばＵＳＢ（Ｕniversal Ｓerial Ｂus）規格やＩＥＥＥ１３９４規格等に準拠した有線通信機能を有するものが適用される。図１に示すように、
本撮影装置１００は、ＵＳＢ規格に準拠した有線通信機能を有するシステムとして例示している。
【００４６】
この外部有線データＩ／Ｆ２２及びこれに接続される接続ケーブル（図示せず）と、第１ＣＰＵ３１のシステムコントロール部３１ａ内に設けられる有線通信制御手段（後述するＵＳＢ通信制御機能部３１ｃ等）を用いて本撮影装置１００と外部装置（図示せず）との間での有線接続によるデータ通信を確立し、両者間で画像ファイルの伝送を行う有線通信手段の主要部が構成される。
【００４７】
キーマトリクス２３は、本撮影装置１００に設けられる各種の操作スイッチや操作ボタン等を含む操作入力手段の総称として用いている。
【００４８】
即ち、キーマトリクス２３に含まれる具体的な操作部材としては、例えば撮影装置１００の電源状態をオン又はオフ状態に切り換える電源ボタン，撮影動作を開始させるレリーズボタン，撮影動作時には撮影倍率を変更するズームボタンとして機能し再生動作時には再生画像の拡大表示や縮小表示等の表示切換ボタンとして機能するズームボタン（ＴＷボタン），メニュー画面を呼び出す等の各種の機能に割り当てられる複数の各種操作ボタン，メニュー画面等における選択設定を行う四方向選択キー（十字キーともいう），各種の操作ボタンを用いて選択した項目を決定指示するＯＫボタン等々の入力操作系の部材である。
【００４９】
そして、このキーマトリクス２３には、上述の各種複数の操作部材と、これら操作部材のそれぞれに連動して所定の指示信号を発生させるスイッチ部材や各スイッチ部材からの指示信号を伝達する電気回路等を含んで構成される。
【００５０】
このキーマトリクス２３の各操作部材が使用者により操作されることによって発生した指示信号は、第１ＣＰＵ３１に向けて出力されるようになっている。
【００５１】
ＬＣＤ表示回路２４は、第１ＣＰＵ３１の制御に基づいてＬＣＤパネル２５を制御し、これに各種の情報表示を行わせる回路である。
【００５２】
ＬＣＤパネル２５は、例えば小型の液晶表示装置（ＬＣＤ）等によって構成され、当該撮影装置１００において設定済みの撮影条件や各種の設定情報、例えば撮影モード等の動作モード情報や、記憶媒体１６に記憶可能な画像の枚数情報，撮影時のシャッタ速度や絞り値等の露出に関する情報等を表示する情報表示部材である。
【００５３】
電池２６は、当該撮影装置１００における主（メイン）電源である。この電池２６としては、例えば乾電池等の一次電池や充電可能な蓄電池等の二次電池等が適用される。
【００５４】
なお、本撮影装置１００においては、特に図示していないが、ケーブル接続により供給される商用電源を受ける電源端子が備えられている。この電源端子に電源用接続ケーブルが接続されたときには、商用電源の電力が電源用接続ケーブル，電源端子を介して電源回路２７へ供給されるようになっている。つまり、この場合には、商用電源が上記電池２６とは別系統の主電源として構成されるようになっている。そして、上記電池２６と商用電源とは、場合によって選択的に利用されるようになっている。
【００５５】
バックアップ電源２８は、当該撮影装置１００の内部メモリや内部時計等に対して常に電力を供給するために設けられ、例えば本撮影装置１００における各種の設定値等の情報や日時情報等を保持したり、日付表示を上記ＬＣＤパネル２５等を用いて常時行い得るようにするための副（サブ）電源である。
【００５６】
電源回路２７は、第１ＣＰＵ３１の指令に基づいて上記電池２６及び上記バックアップ電源２８，電源端子に接続される商用電源からの電力を受けて、本撮影装置１００の内部の各電気回路へと適宜供給する制御を行う回路である。
【００５７】
電池状態検出回路２９は、電池２６における電圧等、当該電池２６の状態を検出して、同電池２６の電池残量等を算出し、その結果を第１ＣＰＵ３１へと出力する回路である。
【００５８】
第１ＣＰＵ３１は、主（メイン）ＣＰＵとして配設されているものである。この第１ＣＰＵ３１は、本撮影装置１００における各回路を統括的に制御すると共に、各種の諸機能を実現するために各構成部を制御するメイン制御手段である。
【００５９】
そのために、本撮影装置１００の第１ＣＰＵ３１は、同撮影装置１００における各構成部を適宜制御（コントロール）することでシステム全体を制御するためのシステムコントロール部３１ａを備えている。
【００６０】
このシステムコントロール部３１ａの内部には、各種の電気回路等が形成されていて、例えばＷＵＳＢ通信制御機能部３１ｂ，ＵＳＢ通信制御機能部３１ｃ，通信相手判別制御部３１ｄ，通信エラー管理機能部３１ｅ，揺動レベル管理機能部３１ｆ，無線電波強度管理機能部３１ｇ等のほか、図示していないが、撮影手段にて撮影動作を実行する際の各種の撮影条件を設定する撮影条件設定手段としての回路部や、撮影動作により取得した画像信号の画像データとこの画像データに関連する各種の情報（関連情報データ）とを合わせて画像ファイルを生成する画像ファイル生成手段としての回路部や、この画像ファイル生成手段で生成された画像ファイルを適切な形態で記憶媒体１６に記憶する記憶動作制御を行う回路部や、当該画像ファイルに基づく画像や関連情報を表示手段を用いて視覚的に表示可能な形態で提示する表示動作を実行する回路部等、本撮影装置１００における各種動作及び各種機能を制御するためのさまざまな制御回路を内部に有して構成されている。
【００６１】
本撮影装置１００における無線通信手段は、無線通信機能を備えた外部装置（特に図示せず）との間で無線接続を確立し画像ファイル等のデータ信号を送受信するために設けられているものである。
【００６２】
本撮影装置１００における無線通信機能を実現するための方式としては、例えばワイヤレスＵＳＢ（Ｗireless Ｕniversal Ｓerial Ｂus；ＷＵＳＢ）規格に準拠した無線通信機能によるＷＵＳＢ接続や、超広帯域（ＵＷＢ；Ｕltra Ｗide Ｂand) 無線接続や、ＩｒＤＡ（アイアールディーエイ；Infrared Data Association）規格に準拠した赤外線通信機能による光無線接続等を適用し得る。本撮影装置１００では、図１に示すようにＷＵＳＢ規格に準拠した無線通信機能を有するシステムとして例示している。
【００６３】
詳述すると本撮影装置１００は、無線アンテナ２１と、外部無線データＩ／Ｆ２０と、第１ＣＰＵ３１のシステムコントロール部３１ａ内に設けられる無線通信制御手段としてのＷＵＳＢ通信制御機能部３１ｂ等からなる無線通信手段を有している。
【００６４】
第１ＣＰＵ３１のシステムコントロール部３１ａのＷＵＳＢ通信制御機能部３１ｂは、無線通信手段の一部である外部無線データＩ／Ｆ２０等のオンオフ制御等を行って無線接続によるデータ通信機能を制御する無線通信制御手段として構成される回路である。
【００６５】
無線アンテナ２１は、本撮影装置１００と外部装置（図示せず）との間で無線によるデータ通信を行うのに際して、外部装置から発信される所定の形態の電磁波等の無線信号であってデータ通信に係る無線信号を受信すると共に、本撮影装置１００から発信される所定の形態の電磁波等の無線信号であってデータ通信用の無線信号を送信する無線信号入出力部である。
【００６６】
この無線アンテナ２１は、外部無線データＩ／Ｆ２０と接続されていて、送受信した無線信号が外部無線データＩ／Ｆ２０を介して第１ＣＰＵ３１との間で入出力するようになっている。
【００６７】
外部無線データＩ／Ｆ２０は、無線アンテナ２１と第１ＣＰＵ３１との間に介在し無線アンテナ２１に入力される無線信号を所定の形態の電気信号に変換して第１ＣＰＵ３１へ出力したり、第１ＣＰＵ３１のＷＵＳＢ通信制御機能部３１ｂからの信号を無線信号に変換して無線アンテナ２１へと出力する無線通信手段の一部であって無線通信接続部（インターフェース）として機能している。
【００６８】
この外部無線データＩ／Ｆ２０は、第１ＣＰＵ３１のシステムコントロール部３１ａのＷＵＳＢ通信制御機能部３１ｂ（無線通信制御手段）によって制御される。
【００６９】
また、外部無線データＩ／Ｆ２１の内部には、電波強度可変機能部２０ａが設けられている。この電波強度可変機能部２０ａは、本撮影装置１００により通信動作を行う際の状態等に応じて、送信出力（送信電波）の強度を適宜変化させる機能を有する回路である。電波強度可変機能部２０ａは、第１ＣＰＵ３１のシステムコントロール部３１ａの無線電波強度管理機能部３１ｇによって制御される。したがって、無線電波強度管理機能部３１ｇと電波強度可変機能部２０ａ等によって、後述する揺動検出手段（揺動検出機能部３５）で検出された揺動の大きさ（揺動量）に応じて無線通信手段の送信出力を制御する送信出力制御手段の役目をしている。
【００７０】
無線電波強度管理機能部３１ｇは、後述する揺動検出機能部３５等からの入力信号を受けて撮影装置１００自身の揺動レベルに応じた送信出力の強度を設定し、外部無線データＩ／Ｆ２０を介して無線アンテナ２１から送信出力される送信電波強度の制御管理等を行う回路である。
【００７１】
一方、ＵＳＢ通信制御機能部３１ｃは、有線通信手段の一部である外部有線データＩ／Ｆ２２等のオンオフ制御等を行って有線接続によるデータ通信機能を制御する有線通信制御手段として構成される回路である。このＵＳＢ通信制御機能部３１ｃは、外部有線データＩ／Ｆ２２との間で電気的に接続されている。
【００７２】
このように、本撮影装置１００においては、ＵＳＢ通信制御機能部３１ｃ（有線通信手段）又はＷＵＳＢ通信制御機能部３１ｂ（無線通信手段）の制御によって本撮影装置１００と外部装置との間の有線接続又は無線接続を確保すると共に、本撮影装置１００の画像情報記憶手段（記憶媒体１６）に記憶された画像ファイルを外部装置に向けて伝送したり、外部装置からのデータ信号を受けてこれを画像情報記憶手段（記憶媒体１６）に記憶させることができるようになっている。
【００７３】
また、第１ＣＰＵ３１のシステムコントロール部３１ａの通信相手判別制御部３１ｄは、通信相手先となる外部装置を特定する情報を取得する外部装置情報取得手段としての役目をしている。外部装置を特定する情報は、通信手段を介して外部装置との通信動作を行う際に、通信相手先の外部装置の側から送信される情報であって、例えば通信相手先となっている外部装置が可搬型機器であるか又は据置型機器であるか等の情報が含まれる。
【００７４】
第１ＣＰＵ３１のシステムコントロール部３１ａの通信エラー管理機能部３１ｅは、通信手段を介して行われる通信動作中において、通信エラー情報を取得する通信エラー情報取得手段としての役目をしている。この通信エラー情報は、通信動作実行中に、通信相手先としての外部装置側から通知される情報に含まれる。
【００７５】
一方、本撮影装置１００は、撮影動作の実行時に撮影装置１００自体が揺れ動くことに起因して画像に生じるブレ現象による画質の劣化を抑止するための機構であるいわゆるブレ補正手段を有している。
【００７６】
本撮影装置１００におけるブレ補正手段は、揺動検出機能部３５と、撮像素子用アクチュエータ駆動回路３４と、撮像素子用アクチュエータ３３と、揺動レベル管理機能部３１ｆ等によって構成される。
【００７７】
揺動検出機能部３５は、撮影装置１００の揺れ状態を検出し数値化するセンサーであって、例えば姿勢検出を行う回転検出センサーや落下検出を行う加速度センサー等を用いた手振れ検出用センサーと、このセンサーからの信号を処理する回路等によって構成される揺動検出手段である。この揺動検出機能部３５は、第１ＣＰＵ３１のシステムコントロール部３１ａに接続されている。
【００７８】
揺動レベル管理機能部３１ｆは、揺動検出機能部３５からの信号を受けて本撮影装置１の状態、即ち振動レベルを認知し管理する揺れ検出手段としての役目をしている。
【００７９】
撮像素子用アクチュエータ駆動回路３４は、第１ＣＰＵ３１の揺動レベル管理機能部３１ｆによる制御に基づいて撮像素子用アクチュエータ３３を制御して撮像素子２をその撮像面に沿う面内で移動させ駆動制御回路である。
【００８０】
撮像素子用アクチュエータ３３は、撮像素子２を撮像面に沿う方向に移動し得るように駆動させる駆動源であって、例えば駆動モータ等にからなる。
【００８１】
そして、これら撮像素子用アクチュエータ３３及び撮像素子用アクチュエータ駆動回路３４等によって、撮像素子２を、その撮像面に沿う方向にその面内で任意に移動させることによって、レンズ１によって撮像素子２の撮像面上に結像される被写体像のブレ状態を抑止するブレ補正手段の主要部を構成している。
【００８２】
第１ＣＰＵ３１は、上述のように、本撮影装置１００において、主に各種の動作制御を行うための複数の集積回路により構成されている。
【００８３】
一方、第２ＣＰＵ３２は、本撮影装置１００において、主に画像信号や各種データを取り扱う信号処理制御を実行する複数の集積回路により構成されている。
【００８４】
即ち、第２ＣＰＵ３２は、撮影手段又は画像情報記憶手段から取り込まれてフレームメモリ６に一時的に記憶されている画像データに基づいて、各種の信号処理を施す各種の回路、例えば画像圧縮伸張部３２ａ，記憶媒体アクセス部３２ｂ等に加えて、記憶媒体アクセス部３２ｂを介して記憶媒体１６の内部状態や当該記憶媒体１６に記憶されている各種ファイルについての処理等を行う各種の回路等を内部に有して構成されている。
【００８５】
画像圧縮伸張部３２ａは、フレームメモリ６に記憶されている画像データ等を読み出して、例えばＪＰＥＧ圧縮処理等を行ったり、記憶媒体１６から読み出された圧縮画像データの伸張処理等を行う回路部である。
【００８６】
記憶媒体アクセス部３２ｂは、記憶媒体インターフェース１５による記憶媒体１６へのアクセスを制御するための回路部である。
【００８７】
その他、本発明に関連しない部分の構成については、通常一般のデジタルカメラ等の撮影装置と略同様の構成であるものとして、その詳細な図示及び説明は省略する。
【００８８】
次に、上述のように構成される本撮影装置１００において、無線通信手段を用いて画像ファイル等を外部装置に送信する際に実行されるデータ送信処理のシーケンスを、図２のフローチャートによって説明する。
【００８９】
まず、本実施形態の撮影装置１００のキーマトリクス２３のうちの電源ボタンが使用者により操作等されることによって、本撮影装置１００が起動する（パワーオン）。
【００９０】
次いで、使用者が、キーマトリクス２３の所定の操作による動作モード選択切替操作を行うと、本撮影装置１００は、無線手段を用いて送信動作を行い得る無線送信モードに切り換わる。
【００９１】
本撮影装置１００が無線送信モードで起動すると、第１ＣＰＵ３１は、図２のステップＳ１において、まず本撮影装置１００の内部回路における無線通信手段における無線機能の初期化処理を実行する。この初期化処理は、通常の無線通信手段を具備する撮影装置において行われるのと同様の処理である。その後、ステップＳ２の処理に進む。
【００９２】
ステップＳ２において、第１ＣＰＵ３１は、揺動検出機能部３５からの出力信号を受けて揺動検出処理を実行する。その後、ステップＳ３の処理に進む。
【００９３】
ステップＳ３において、第１ＣＰＵ３１は、上述のステップＳ２の揺動検出処理における検出結果に基づいて、撮影装置１００の状態が可搬状態、、即ち手持ち状態にあるか否かの確認を行う。ここで、撮影装置１００が可搬状態（以下、手持ち状態という）であることが確認された場合には、ステップＳ４の処理に進む。
【００９４】
ステップＳ４において、第１ＣＰＵ３１は、無線電波強度管理機能部３１ｇ等を制御して無線通信を行う際の電波出力の強度を設定し得る最大値に設定する電波強度設定処理を実行する。その後、ステップＳ５の処理に進む。
【００９５】
ステップＳ５において、第１ＣＰＵ３１は、無線通信手段を制御して無線通信動作の実行を開始し、通信相手となる外部装置からの出力信号を検出する処理を実行する。その後、ステップＳ６の処理に進む。
【００９６】
ステップＳ６において、第１ＣＰＵ３１は、無線通信手段を制御して、上述のステップＳ５の処理にて検出された外部装置との間で無線通信接続を行うための所定の確認通信処理を実行する。その後、ステップＳ７の処理に進む。
【００９７】
ステップＳ７において、第１ＣＰＵ３１は、外部装置との無線接続が確立したか否かの確認を行う。ここで、外部装置との無線接続が確立されていることが確認された場合には、次のステップＳ８の処理に進む。
【００９８】
ステップＳ８において、第１ＣＰＵ３１は、無線通信手段を制御して、実際の無線通信動作、即ち撮影装置１００側の画像ファイル等のデータを外部装置に向けて送信するデータ送信動作を実行する。このデータ送信動作が完了したら、一連のデータ送信処理のシーケンスを終了する。
【００９９】
また、上述のステップＳ７の処理において、外部装置との無線接続が確立していないことが確認された場合には、ステップＳ９の処理に進む。
【０１００】
ステップＳ９において、第１ＣＰＵ３１は、第２ＣＰＵ３２，表示手段等を制御して所定の接続エラー表示処理を実行した後、一連のデータ送信処理シーケンスを終了する。
【０１０１】
一方、上述のステップＳ３の処理において、当該撮影装置１００の状態が手持ち状態では無いことが確認された場合には、ステップＳ１０の処理に進む。
【０１０２】
ステップＳ１０において、第１ＣＰＵ３１は、無線電波強度管理機能部３１ｇ等を制御して無線通信を行う際の電波出力の強度を中間レベル値に設定する電波強度設定処理を実行する。その後、ステップＳ１１の処理に進む。
【０１０３】
ステップＳ１１において、第１ＣＰＵ３１は、上述のステップＳ５の処理と同様に、通信相手となる外部装置からの出力信号を検出する処理を実行する。その後、ステップＳ１２の処理に進む。
【０１０４】
ステップＳ１２において、第１ＣＰＵ３１は、上述のステップＳ６の処理と略同様の処理、即ち無線通信手段を制御して上述のステップＳ１１の処理にて検出された外部装置との間で無線通信接続を行うための所定の確認通信処理を実行する。その後、ステップＳ１３の処理に進む。
【０１０５】
ステップＳ１３において、第１ＣＰＵ３１は、上述のステップＳ７の処理と同様に、外部装置との無線接続が確立したか否かの確認を行う。ここで、外部装置との無線接続が確立されていることが確認された場合には、ステップＳ８の処理に進み、以降同様の処理が行われる。
【０１０６】
また、上述のステップＳ１３の処理において、外部装置との無線接続が確立していないことが確認された場合には、ステップＳ１４の処理に進む。
【０１０７】
ステップＳ１４において、第１ＣＰＵ３１は、現在設定されている電波強度の設定値が最大値であるか否かの確認を行う。ここで、電波強度が最大値に設定されていることが確認された場合には、ステップＳ９の処理に進み、以降同様の処理が行われる。
【０１０８】
また、上述のステップＳ１４の処理において、電波強度が最大値に設定されていないことが確認された場合には、ステップＳ１５の処理に進む。
【０１０９】
ステップＳ１５において、第１ＣＰＵ３１は、無線電波強度管理機能部３１ｇ等を制御して無線通信を行う際の電波出力の強度の設定値をレベルアップする電波強度設定処理を実行する。その後、ステップＳ１２の処理に戻り、以降同様の処理が行われる。
【０１１０】
なお、本実施形態においては、撮影装置１００の無線通信手段を用いて外部装置との間で行われる無線接続によるデータ送信処理は、従来の撮影装置において行われる処理と同様の処理であるものとして、その詳細説明は省略している。
【０１１１】
以上説明したように上記第１の実施形態によれば、撮影装置１００と外部装置との間で無線接続によるデータ送信処理を行う際に、撮影装置１００の状態を揺動検出機能部３５を用いて検出し、その検出結果によって、当該撮影装置１００が手持ち状態にあることが確認された場合には、送信出力の電波強度を通常値よりも大きい状態、例えば設定し得る最大値に設定して無線データ通信処理を実行するようにしている。また、撮影装置１００が手持ち状態ではなく、例えば据置状態である場合には、通常の中間レベル値の出力電波強度でデータ送信処理を行うようにしている。
【０１１２】
撮影装置１００が手持ち状態にあるときには、例えば無線通信動作中にも当該撮影装置１００が動かされる可能性がある。この場合、当該撮影装置１００と通信相手の外部装置との間の相対的な距離に変化が生じたり、撮影装置１００の無線アンテナ２１の向きが変化したりする可能性が考えられることから、通信相手との相対的な位置的条件が変化して、通信動作中の無線信号の送信状態に変化が生じる可能性が大きいと判断される。
【０１１３】
したがって、撮影装置１００が手持ち状態で無線接続によるデータ送信処理を実行する場合には、出力電波強度を最大値に設定することで、常に安定した送信状態を確保することができる。
【０１１４】
一方、撮影装置１００が据置状態であって、無線通信動作中に外部装置との相対的な位置的条件が変化しないと推定される場合には、通常の出力電波強度でも安定した送信状態を確保することができる。
【０１１５】
次に、本発明の第２の実施形態について、以下に説明する。
【０１１６】
本実施形態の撮影装置の構成は、上述の第１の実施形態の撮影装置の構成と同様であって、データ送信処理のシーケンスが異なるのみである。したがって、本実施形態においては、撮影装置自体の構成の説明は省略し、本撮影装置の作用のうち無線接続によるデータ送信処理のシーケンスについてのみ、以下に説明する。
【０１１７】
図３は、本発明の第２の実施形態の撮影装置における無線接続によるデータ送信処理のフローチャートである。
【０１１８】
まず、本実施形態の撮影装置における無線接続によるデータ送信処理のシーケンスのうち、当該撮影装置１００が手持ち状態である場合の一連の処理ステップであって、図３のステップＳ１〜ステップＳ９の各処理は、上述の第１の実施形態と全く同様である。したがって、図２と同じステップ番号を附して、その詳細説明は省略する。
【０１１９】
次に、当該撮影装置１００が手持ち状態では無いことが確認された場合に、ステップＳ１０の処理に分岐したときの一連の処理ステップ、即ちステップＳ１０〜ステップＳ１５の各処理は、上述の第１の実施形態と略同様であるが、上述の第１の実施形態におけるステップＳ１１（図２参照）に対して、本実施形態のステップＳ１１Ａでは、次の点において異なる。
【０１２０】
即ち、本実施形態においては、当該撮影装置１００が手持ち状態では無い場合のシーケンスのうち図３のステップＳ１１Ａにおいて、通信相手となる外部装置からの出力信号を検出する処理を実行すると共に、外部装置の状態を表わす外部装置据置フラグを初期化する処理を実行する。その後、ステップＳ１２の処理に進む。
【０１２１】
ここで、外部装置据置フラグとは、本撮影装置１００が無線接続による無線通信処理を行う通信相手となる外部装置の状態が、可搬自在な状態（手持ち状態）であるか否かの情報を明示するフラグである。当該情報は、例えばステップＳ１２において実行される外部装置との確認通信処理のシーケンス中に外部装置から受信される信号に含まれており、この受信信号に基づいて設定される。そのフラグ設定処理は、後述するステップＳ１６以降の処理シーケンスにて実行される。
【０１２２】
このように本実施形態においては、当該撮影装置１００が手持ち状態では無い場合のシーケンスのうち上記ステップＳ１１Ａ（図３）以外の処理ステップは、上述の第１の実施形態（図２）と同様である。したがって、図２と同じステップ番号を附して、その詳細説明を省略する。
【０１２３】
次に、図３のステップＳ１３において、外部装置との無線接続が確立されていることが確認された場合には、ステップＳ１６の処理に進む。
【０１２４】
ステップＳ１６において、第１ＣＰＵ３１は、上述のステップＳ１２の処理で実行した確認通信処理で取得した外部装置に関する情報に基づいて、通信相手とする外部装置が据置状態であるか否かの確認を行う。ここで、当該外部装置が据置状態ではないことが確認された場合には、上述のステップＳ８の処理に進み、以降同様の処理を実行する。
【０１２５】
一方、上述のステップＳ１６の処理において、当該外部装置が据置状態であることが確認された場合には、ステップＳ１７の処理に進む。
【０１２６】
ステップＳ１７において、第１ＣＰＵ３１は、外部装置据置フラグがオン（ＯＮ）状態に設定されている否かの確認を行う。ここで、外部装置据置フラグがオン（ＯＮ）状態に設定されていることが確認された場合には、上述のステップＳ８の処理に進み、以降同様の処理を実行する。
【０１２７】
一方、上述のステップＳ１７の処理において、外部装置据置フラグがオン（ＯＮ）状態に設定されていないことが確認された場合には、ステップＳ１８の処理に進む。
【０１２８】
ステップＳ１８において、第１ＣＰＵ３１は、外部装置据置フラグをオン（ＯＮ）状態に設定する処理を実行する。その後、ステップＳ１９の処理に進む。
【０１２９】
ステップＳ１９において、第１ＣＰＵ３１は、無線電波強度管理機能部３１ｇ等を制御して、無線通信手段による送信出力の電波強度を、安定した無線通信を維持し得る最小値に設定する電波強度設定処理を実行する。その後、ステップＳ２０の処理に進む。
【０１３０】
ステップＳ２０において、第１ＣＰＵ３１は、無線通信手段を制御して本撮影装置１００と外部装置との無線接続状態を切断する処理を実行する。その後、上述のステップＳ１２の処理に戻り、以降の処理を繰り返す。
【０１３１】
なお、このステップＳ２０の処理で、無線接続状態が確立しているのに関らず、一度切断するのは、ステップＳ１９において、電波強度を最低値に設定しているので、この状態で再接続するための措置である。このステップＳ２０で無線接続を一度切断し、低レベルの電波強度で再接続するようにしている。
【０１３２】
上述の第１の実施形態においては、撮影装置１００の揺動検出処理によって得られる撮影装置１００の状態のみを考慮して、撮影装置１００の状態に応じて無線送信出力を切り換えていたが、本実施形態においては、撮影装置１００の状態に加えて、この撮影装置１００が無線通信を行う相手先の外部装置の状態についても考慮して、両者の状態に応じて無線送信出力を切り換えるようにしている。
【０１３３】
本実施形態においては、具体的には、撮影装置１００自身が、手持ち状態ではなく安定した状態にある場合において、その通信相手先となる外部装置がデスクトップ型ＰＣやホームサーバー等の据置型機器であるときには、通信相手先の外部装置も安定した状態にあると推定できることから、このときの送信電波強度は、低いレベルであっても安定した無線通信を維持することができると考えられる。
【０１３４】
そこで、この場合には、送信出力制御手段は、通信手段の送信電波強度の出力を、安定した無線通信を維持し得る最小の出力に設定する。この場合において、安定した無線通信を維持し得る最小の出力とは、例えば通信エラーが所定の割合以下になる程度の出力であって、例えば経験値等により予め設定される出力値などである。
【０１３５】
なお、通信エラーの情報は、例えば外部装置からの受信信号を受けて通信エラー管理機能部３１ｅ等により取得される情報である。したがって、この通信エラー情報を参照することで、送信電波強度の出力を設定するようにしてもよい。
【０１３６】
一方、通信相手先の外部装置が、例えば他の撮影装置であったり携帯型（ノート型）小型ＰＣや携帯電話等である場合には、送信側である撮影装置１００が据え置き状態であっても、その通信相手先が移動する可能性がある。そこで、この場合には、若干高いレベル（中間レベルくらい）の送信電波強度に設定して無線通信を行う。
【０１３７】
そして、撮影装置１００と外部装置とが、何れも不安定な状態であれば、送信電波強度を設定し得る最大限レベルに設定する。
【０１３８】
以上説明したように上記第２の実施形態によれば、上述の第１の実施形態と同様の効果を得ることができると共に、通信相手としての外部装置の状態に関する情報を取得するようにしたので、当該撮影装置１００が据置状態であって、かつ外部装置の状態も据置状態にある場合には、無線通信動作中に外部装置との相対的な位置的条件が変化する可能性がさらに低いと推定される場合には、撮影装置１００の出力電波強度を通常値（中間レベル）よりも低めた状態、例えば設定し得る最小値に設定して無線データ通信処理を実行することで、安定した送信状態を確保しながら、省電力化に寄与することができる。
【０１３９】
次に、本発明の第３の実施形態について、以下に説明する。
【０１４０】
本実施形態の撮影装置の構成も、上述の第１，第２の実施形態の撮影装置の構成と同様であって、データ送信処理のシーケンスが異なるのみである。したがって、本実施形態においても、撮影装置自体の構成の説明は省略し、本撮影装置の作用のうち無線接続によるデータ送信処理のシーケンスについてのみ、以下に説明する。
【０１４１】
図４は、本発明の第３の実施形態の撮影装置における無線接続によるデータ送信処理のフローチャートである。詳しくは、（ａ）は、送信側である撮影装置（カメラ）の送信処理フローチャートを示している。また、（ｂ）は、受信側（通信相手先）となる外部装置（ホスト）において、（ａ）の撮影装置の処理シーケンスに対応する作用のみを示している。
【０１４２】
まず、本撮影装置１００が無線送信モードで起動すると、第１ＣＰＵ３１は、図４ＡのステップＳ２１において、揺動検出機能部３５からの出力信号を受けて撮影装置１００（カメラ）の揺動量を検出する揺動検出処理を実行する。その後、ステップＳ２２の処理に進む。
【０１４３】
ステップＳ２２において、第１ＣＰＵ３１は、無線通信手段を制御して送信データ（パケット）の無線通信前処理を実行する。その後、ステップＳ２３の処理に進む。
【０１４４】
ステップＳ２３において、第１ＣＰＵ３１は、撮影装置１００（カメラ）の揺動検出処理を再度実行し、その検出結果と上述のステップＳ２１の揺動検出処理による検出結果とを比較する処理を行う。その後、ステップＳ２４の処理に進む。
【０１４５】
ステップＳ２４において、第１ＣＰＵ３１は、上述のステップＳ２３の処理による比較結果に基づいて揺動量が増大したか否かの確認を行う。ここで、揺動量が増大したことが確認された場合には、次のステップＳ２５の処理に進む。一方、揺動量が増大していない場合には、ステップＳ３１の処理に進む。
【０１４６】
ステップＳ２５において、第１ＣＰＵ３１は、揺動レベル管理機能部３１ｆを介して外部無線データＩ／Ｆ２０の電波強度可変機能部２０ａを制御して、送信電波強度のレベルを１レベル増加させる設定を行う（プラス（＋）１レベル）。その後、ステップＳ２６の処理に進む。
【０１４７】
一方、上述のステップＳ２４の処理において、揺動量が増大していないことが確認されて、ステップＳ３１の処理に進むと、このステップＳ３１において、第１ＣＰＵ３１は、上述のステップＳ２３の処理による比較結果に基づいて揺動量が減少したか否かの確認を行う。ここで、揺動量が減少したことが確認された場合には、次のステップＳ３２の処理に進む。一方、揺動量が減少していない場合には、ステップＳ２６の処理に進む。
【０１４８】
ステップＳ３２において、第１ＣＰＵ３１は、揺動レベル管理機能部３１ｆを介して外部無線データＩ／Ｆ２０の電波強度可変機能部２０ａを制御して、送信電波強度のレベルを１レベル減少させる設定を行う（マイナス（−）１レベル）処理を実行する。その後、ステップＳ２６の処理に進む。
【０１４９】
ステップＳ２６において、第１ＣＰＵ３１は、無線通信手段を制御して送信データ（パケット）の無線送信動作処理を実行する。その後、ステップＳ２７の処理に進む。
【０１５０】
これを受けて、本撮影装置１００（カメラ）の無線通の信相手先となる受信ホスト側では、図４ＢのステップＳ３３において、受信ホスト側の制御回路（ＣＰＵ；図示せず）は、所定の受信手段を用いてデータ（パケット）の無線受信処理を実行する。その後、ステップＳ３４の処理に進む。
【０１５１】
ステップＳ３４において、受信ホスト側の制御回路（ＣＰＵ）は、受信データの受信時における受信エラー状況を確認する処理を実行する。その後、ステップＳ３５の処理に進む。
【０１５２】
ステップＳ３５において、受信ホスト側の制御回路（ＣＰＵ）は、エラーレベルを送信側の撮影装置１００（カメラ）の側にエラーレベルを通知する処理を実行する。その後、ステップＳ３６の処理に進む。
【０１５３】
ステップＳ３６において、受信ホスト側の制御回路（ＣＰＵ）は、全てのデータ（パケット）の受信が終了したか否かの確認を行う。ここで、データ受信が終了していない場合には、上述のステップＳ３３の処理に戻り、以降の処理を繰り返す。一方、データ受信が終了した場合には、一連の受信処理のシーケンスを終了する。
【０１５４】
次に、撮影装置１００（カメラ）側では、図４ＡのステップＳ２７において、第１ＣＰＵが外部装置（ホスト）側に対する送信データ（パケット）の無線送信動作処理を終了したら、次のステップＳ２７の処理において、第１ＣＰＵ３１は、上述のステップＳ３５の処理にて受信ホスト側から通知されたエラーレベルのデータを受信する。その後、ステップＳ２８の処理に進む。
【０１５５】
ステップＳ２８において、第１ＣＰＵ３１は、上述のステップＳ２７の処理にて受信したエラーレベルが既定値以上であるか否かの確認を行う。ここで、エラーレベルが既定値以上であることが確認された場合には、次のステップＳ２９の処理に進む。一方、エラーレベルが既定値未満であることが確認された場合には、ステップＳ３０の処理に進む。
【０１５６】
ステップＳ２９において、第１ＣＰＵ３１は、揺動レベル管理機能部３１ｆを介して外部無線データＩ／Ｆ２０の電波強度可変機能部２０ａを制御して、送信電波強度のレベルを１レベル増加させる設定を行う（プラス（＋）１レベル）。その後、ステップＳ３０の処理に進む。
【０１５７】
ステップＳ３０において、第１ＣＰＵ３１は、送信すべき全てのデータ（パケット）の送信が終了したか否かの確認を行う。ここで、データ送信が終了していない場合には、上述のステップＳ２２の処理に戻り、以降の処理を繰り返す。一方、データ送信が終了した場合には、一連の送信処理のシーケンスを終了する。
【０１５８】
以上説明したように上記第３の実施形態によれば、無線接続通信を開始した後、通信動作の実行中にも揺動検出機能部３５による揺動検出処理を実行し、その検出結果（揺動量）と前回の検出結果とを比較して、その比較結果により、揺動量が増減している場合には、送信電波強度のレベルを増減させる制御を行って、通信エラーが生じずに安定した無線通信を実行し得る最低限のレベルまで送信電波強度を下げることができる。したがって、これにより、安定した無線通信を行なうことができると共に、無線通信を行う際の電池の消耗を抑えることができ、よって撮影装置の省電力化に寄与することができる。
【０１５９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１６０】
【図１】本発明の第１の実施形態の撮影装置の内部構成の概略を示すブロック構成図である。図２は、本実施形態の撮影装置における無線接続によるデータ送信処理のフローチャート。
【図２】図１の撮影装置における無線接続によるデータ送信処理のフローチャート。
【図３】本発明の第２の実施形態の撮影装置における無線接続によるデータ送信処理のフローチャート。
【図４】本発明の第３の実施形態の撮影装置における無線接続によるデータ送信処理のフローチャート。
【符号の説明】
【０１６１】
１……レンズ
２……撮像素子
３……撮像回路
５……信号処理回路
６……フレームメモリ
９……ＴＦＴ液晶駆動回路
１０……ＴＦＴパネル
１４……記憶バッファ
１５……記憶媒体インターフェース
１６……記憶媒体
１７……レンズ用アクチュエータ
１８……レンズ用アクチュエータ駆動回路
２０……外部無線データインターフェース
２０ａ……電波強度可変機能部
２１……無線アンテナ
２３……キーマトリクス
２６……電池
２７……電源回路
３１……第１ＣＰＵ
３１ａ……システムコントロール部
３１ｂ……ＷＵＳＢ通信制御機能部
３１ｃ……ＵＳＢ通信制御機能部
３１ｄ……通信相手判別制御部
３１ｅ……通信エラー管理機能部
３１ｆ……揺動レベル管理機能部
３１ｇ……無線電波強度管理機能部
３２……第２ＣＰＵ
３３……撮像素子用アクチュエータ
３４……撮像素子用アクチュエータ駆動回路
３５……揺動検出機能部
１００……撮影装置
【図１】
2009005093.tif 000003
【図２】
2009005093.tif 000004
【図３】
2009005093.tif 000005
【図４】
2009005093.tif 000006